(57)【要約】【目的】荷物の形状、段数や軽重に拘らず、短時間内に一人作業ができ、繰返し使用ができて不使用時にも短時間に収納できる荷崩れの防止具を安価に提供する。【構成】長尺幅の長方形ネット状シート４の両縁に固定された、リング側保持棒６及びベルト側保持棒７に連結固定された複数のリング金具８とベルト状締付具１０により、パレット上の積載物を包囲して固定する。面ファスナーの使用及びリング側保持棒６及びベルト側保持棒７の可撓性により、大型荷物２６を含む積載物も、前記長方形ネット状シート４の１回の巻回で、複数のリング金具８とベルト状締付具１０の締付力を可変にして多段締めをすることにより、前記積載物を締付固定できる。また、前記長方形ネット状シート４をロール状に巻回し、前記長方形ネット状シート４に取着された収納用ベルトで巻締めることにより、短時間に場所を取らずに前記パレット積載物荷崩れ防止具を収納できる。【選択図】図５
0003139119.tif 000002
【実用新案登録請求の範囲】
【請求項１】
パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面とから構成され、パレット上の積載物を包囲して前記ベルト状締付具を前記リング金具に挿通して折返した後締付け前記締付用ファスナー面により係止固定することを特徴とするパレット積載物荷崩れ防止具。
【請求項２】
パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面と、前記左右保持棒は可撓性を有することから構成され、パレット上の積載物を包囲して前記ベルト状締付具を前記リング金具に挿通して折返した後締付け前記締付用ファスナー面により係止固定することを特徴とするパレット積載物荷崩れ防止具。
【請求項３】
パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面と、前記長方形ネット状シートの略中央に取着された収納用ベルトと、前記収納用ベルトの両面に形成された収納用ファスナー面と、前記左右保持棒は可撓性を有することから構成され、パレット上の積載物を包囲して前記ベルト状締付具を前記リング金具に挿通して折返した後締付け前記締付用ファスナー面により係止固定し、収納時には前記左右保持棒を重ねるように前記長方形ネット状シートを２つに折り畳み、前記左右保持棒を中心に前記長方形ネット状シートを巻回してシートロールを形成し、前記シートロールを前記収納用ベルトで巻締め、前記収納用ファスナー面により固定することを特徴とするパレット積載物荷崩れ防止具。
【考案の詳細な説明】
【技術分野】
【０００１】
本発明は荷崩れ防止具に関し、特に荷物輸送用のパレットに搭載した荷物の荷崩れの防止具に関する。
【背景技術】
【０００２】
物流業界における荷物運搬具として、繰返し使用可能な木製やプラスチック製パレットが広く用いられている。このようなパレットは、上下板の間に設けた空隙にフォークリフトのフォーク部分を挿入し持ち上げることにより、パレット上面に積載した荷物を容易に荷役し輸送することができる。このパレットに搭載した荷物の輸送時における荷崩れを防止するために、従来より、シュリンク包装、紐掛けといった荷物固定方法が用いられてきた。
【０００３】
シュリンク包装とは、熱可塑性のプラスチックフィルムで荷物を覆った後、熱でプラスチックフィルムを収縮させて荷物を固定する方法である。しかし、この方法では、使用したプラスチックフィルムの再使用ができないため、使用時のコスト面での問題のみならず、資源の無駄使い、廃棄時の有害物発生に対する批判もあった。
【０００４】
そのため、繰返し使用可能な、スリットを有するパレット積載物用荷崩れ防止カバーを積載物に被せる方法が特開２００５−２１９７５０号公報（特許文献１）に開示されており、図８にその斜視図を示す。積載物用カバー１０１は上面１１５、側面１１１、１１２等からなる一定形状のカバーで、前記積載物とパレット１０５の側面全体を被覆するようにして使用される。この被覆状態で積載物用カバー１０１は底面のない大略直方体となり、前記直方体の４側面に相当する４枚の長方形シート部分の間の４稜線の少なくとも１つに、底面から上面に向かって高さ方向に延びるスリット１３１を有する。スリット１３１を開放して積載物用カバー１０１を開いた状態で前記積載物に被せて、スリット１３１を介して対向するシート端縁に取着された面ファスナー１３２，１３２ａ，１３２ｂ，１３３，１３３ａ及び１３３ｂでスリット１３１を閉鎖して、前記積載物を被覆する。フォーク貫通用開口部１４１及び１４２を有しているので、積載物用カバー１０１は被覆状態でフォークリフトのフォークをフォーク貫通用開口部１４１及び１４２からパレット１０５へ挿入し、パレット１０５を荷役し、輸送する。
【０００５】
紐掛けは、パレットに積載した荷物をベルトで緊締することにより固定する方法である。この方法の改良として、ベルトの一端を荷物の間等に挟むなどして固定する係止具を設け、他端の巻回を容易にしたものが、実開平７−３５３３０号公報（特許文献２）に開示されており、図９にその斜視図を示す。荷崩れ防止用ベルト２０１は、その本体であるベルト部材２０４と、その一端は芯棒２０７を介して連結したリング金具２０６と、その他端に連結された巻回棒２０５とで構成されている。リング金具２０６側のベルト部材２０４の荷物との接触面２１０に、紐２１２と係止棒２１３からなる係止具２１１が連結されている。巻回棒２０５側のベルト部材２０４の荷物との非接触面２１4には、第１の面ファスナー部２１６及び第２の面ファスナー部２１７が上下２列に形成されている。荷崩れ防止用ベルト２０１の不使用時には、巻回棒２０５を中心に巻回された状態で保管されている。荷崩れ防止用ベルト２０１の使用時には、係止棒２１３を荷物の間等に仮固定してリング金具２０６を浮上状態で保持し、把手部２０８を持って前記荷物をベルト部材２０４で巻回し、リング金具２０６に巻回棒２０５を挿通し、ベルト部材２０４を折返し、巻回棒２０５を引っ張り、第１の面ファスナー部２１６及び第２の面ファスナー部２１７を相互に対向して係止固定する。
【特許文献１】特開２００５−２１９７５０号公報
【特許文献２】実開平７−３５３３０号公報
【考案の開示】
【考案が解決しようとする課題】
【０００６】
これらの方法にも問題があった。図８（特許文献１）では、積載物用カバー１０１はいくらスリット１３１を有していても形状が決まっているため、スリット１３１が１箇所だと積載物用カバー１０１の拡張にも限度がある。そのため、異形の積載物が含まれると積載物用カバー１０１を積載物に被せるのに時間を要する。スリット１３１が２箇所以上あると、積載物用カバー１０１を積載物に被せるのに要する時間は短くてすむが、複数の面ファスナー１３２等でスリット１３１を閉鎖するのに時間を要し、作業性が悪くなる。また、積載物用カバー１０１が薄いとすぐに破損し、積載物用カバー１０１が厚いと不使用時に折畳むのに時間を要する。
【０００７】
図９（特許文献２）の緊締方法では、係止棒２１３を荷物の間等に挟み仮固定する。しかし、リング金具２０６を浮上状態で保持しているから、荷崩れ防止用ベルト２０１の全自重が係止棒２１３に作用し、荷物が軽いと係止棒２１３が安定しない。そのため、荷崩れ防止用ベルト２０１で軽い荷物を巻回するときにリング金具２０６が安定せずに、リング金具２０６に巻回棒２０５を挿通するのに時間を要する。また、荷物が軽いと、リング金具２０６を浮上状態で保持している係止棒２１３が荷物の間等から抜け落ちたり、荷物が崩落する虞がある。係止棒２１３が荷物の間等から抜け落ちたり、荷物が崩落すると、作業をやり直さなければならないため、作業に余計な時間がかかる。そして、荷崩れ防止用ベルト２０１の幅が狭いため、多段の荷物を緊締するのに複数の荷崩れ防止用ベルト２０１が必要であり、全部の荷崩れ防止用ベルト２０１の巻回、締付に時間を要する。そのうえ、１個のリング金具２０６に巻回棒２０５を挿通し、ベルト部材２０４を折返し、巻回棒２０５を引っ張り、第１の面ファスナー部２１６及び第２の面ファスナー部２１７で係止固定するため、ベルト部材２０４全体に一様に締付力が加わる。このとき、多様な形状の荷物が含まれると、ベルト部材２０４の伸縮性だけでは部分的な凹凸に追随できず、凸部は強く締付けられ、凹部は締付力が作用しない。締付力が作用しない荷物は、フォークリフトで輸送時に、転がったり、落ちる虞がある。
【０００８】
本考案は、上記の問題に鑑みてなされたものである。即ち、多段の荷物でも確実に荷崩れの防止ができ、繰返し使用が可能で、荷物の形状や軽重に拘らず取扱いが簡単なため短時間内に一人作業ができ、不使用時にも簡単に収納できる荷崩れ防止具を安価に提供することを目的とする。
【課題を解決するための手段】
【０００９】
本考案は、上記課題を解決するために提案されたものであって、本考案の第１の形態は、パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面とから構成され、パレット上の積載物を包囲して前記ベルト状締付具を前記リング金具に挿通して折返した後締付け前記締付用ファスナー面により係止固定するパレット積載物荷崩れ防止具である。
【００１０】
本考案の第２の形態は、パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面と、前記左右保持棒は可撓性を有することから構成され、パレット上の積載物を包囲して前記ベルト状締付具を前記リング金具に挿通して折返した後締付け前記締付用ファスナー面により係止固定するパレット積載物荷崩れ防止具である。
【００１１】
本考案の第３の形態は、パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面と、前記長方形ネット状シートの略中央に取着された収納用ベルトと、前記収納用ベルトの両面に形成された収納用ファスナー面と、前記左右保持棒は可撓性を有することから構成され、パレット上の積載物を包囲して前記ベルト状締付具を前記リング金具に挿通して折返した後締付け前記締付用ファスナー面により係止固定し、収納時には前記左右保持棒を重ねるように前記長方形ネット状シートを２つに折り畳み、前記左右保持棒を中心に前記長方形ネット状シートを巻回してシートロールを形成し、前記シートロールを前記収納用ベルトで巻締め、前記収納用ファスナー面により固定するパレット積載物荷崩れ防止具である。
【考案の効果】
【００１２】
本考案の第１の形態によれば、長尺幅の長方形ネット状シートの長手方向の両縁にある左右保持棒の一方をパレット上で積載物に立てかけ、他方を巻回し、前記左右保持棒を略平行にして、締付用ファスナー面で係止固定するパレット積載物荷崩れ防止具が提供できる。そのため、１度の巻回で、短時間内に一人作業で確実に前記積載物の荷崩れの防止ができる。前記左右保持棒の一方を前記積載物に立てかけるとき、前記左右保持棒の一方が浮上状態でないので、係止具が不要である。前記長方形ネット状シートの材質がネット材なので軽い。そのため、前記左右保持棒の一方を前記積載物に略垂直に立てかけると、前記長方形ネット状シートの全自重のうちの僅かしか前記積載物に加わらないため、前記積載物の軽重に拘らず、前記積載物が荷崩れしない。また、前記左右保持棒には、それぞれ複数個のリング金具と複数個のベルト状締付具が連結固定されていて、前記ベルト状締付具の表面に締付用ファスナー面が形成されている。そのため、前記積載物に異形の荷物が含まれていても、前記複数個のベルト状締付具の各々の締付の強弱を可変にして締付けることができる。ネット材は、破損し難く、柔軟性があり、伸縮性を有しているので、前記積載物に異形の荷物が含まれていても、前記長方形ネット状シートが形状の変化に追随できる。ここで長尺幅とは巻回状態における高さ寸法を意味し、流通量が多い１１００ｍｍ×１１００ｍｍ×１４４ｍｍのパレット用ではパレット幅とほぼ同じ１１３０ｍｍ±２００ｍｍであり、前記左右保持棒も略同じ長さである。そのため、多段の積載物でも１枚の前記荷崩れ防止具で確実に荷崩れの防止ができる。また、前記荷崩れ防止具は面ファスナーで係止固定するため、前記積載物を容易に締付、弛緩ができ、繰返し使用も可能である。更に、ネット材を使用することで、作業者が前記積載物を透視でき、前記積載物の外側に記載されている文字や積載状態を目視することができる。ネット材を始めとして、使用する材料は全て入手が容易なものばかりで、製造も特に複雑な工程を含まないため、安価にパレット積載物荷崩れ防止具を製造できる。
【００１３】
本考案の第２の形態によれば、第１の形態のパレット積載物荷崩れ防止具において、長尺幅の長方形ネット状シートの長手方向の両縁にある左右保持棒に可撓性を付加したパレット積載物荷崩れ防止具が提供できる。したがって、第２の形態のパレット積載物荷崩れ防止具は、第１の形態のパレット積載物荷崩れ防止具の作用効果を全て含む。以下に前記作用効果を簡略に示すと、１度の巻回で、短時間内に一人作業で確実に前記積載物の荷崩れの防止ができ、係止具が不要である。前記左右保持棒の一方を前記積載物に略垂直に立てかけても、前記積載物の軽重に拘らず前記積載物が荷崩れしない。また、前記積載物に異形の荷物が含まれていると、前記複数個のベルト状締付具の各々の締付の強弱を可変にすることができ、前記長方形ネット状シートが形状の変化に追随できる。前記左右保持棒も長尺幅と略同じ長さなので多段の積載物でも１枚の前記荷崩れ防止具で確実に荷崩れの防止ができる。面ファスナーの使用により前記積載物を容易に締付、弛緩ができ、繰返し使用も可能である。ネット材を使用することで、作業者が前記積載物を透視できる。このようなパレット積載物荷崩れ防止具を、安価に製造できる。
【００１４】
上記第１の形態のパレット積載物荷崩れ防止具の特長に加え、第２の形態のパレット積載物荷崩れ防止具では、前記左右保持棒は可撓性を有する。即ち、ネット材が伸縮性を有し、同時に前記左右保持棒は可撓性を有するので、前記積載物が一定形状のときのみならず、前記積載物が多様な形状の積載物を含むときでも、前記左右保持棒が撓むことにより前記積載物が均一に締付けられる。そのため、多様な形状の積載物を含んでも、ネット材の伸縮性と、前記左右保持棒の可撓性により、部分的な凹凸があっても前記多様な形状の積載物が凹凸に応じて締付けられ、フォークリフトで輸送時に、前記多様な形状の積載物が転がったり、落ちる虞がない。このように、記積載物を前記パレット積載物荷崩れ防止具で巻回することで、短時間内に一人作業で確実に荷崩れの防止ができる。前記左右保持棒がより柔軟性を有する材料でできているときには、より多様な形状の積載物を含む場合にも荷崩れが防止できる。
【００１５】
本考案の第３の形態によれば、第２の形態のパレット積載物荷崩れ防止具において、長方形ネット状シートの略中央に収納用ベルトを付加したパレット積載物荷崩れ防止具が提供できる。したがって、第３の形態のパレット積載物荷崩れ防止具は、第２の形態のパレット積載物荷崩れ防止具の作用効果を全て含む。以下に前記作用効果を簡略に示すと、１度の巻回で、短時間内に一人作業で確実に前記積載物の荷崩れの防止ができ、係止具が不要である。前記左右保持棒の一方を前記積載物に略垂直に立てかけても、前記積載物の軽重に拘らず前記積載物が荷崩れしない。また、前記積載物に異形の荷物が含まれていると、前記複数個のベルト状締付具の各々の締付の強弱を可変にすることができ、前記長方形ネット状シートが形状の変化に追随できる。前記左右保持棒も長尺幅と略同じ長さなので多段の積載物でも１枚の前記荷崩れ防止具で確実に荷崩れの防止ができる。面ファスナーの使用により前記積載物を容易に締付、弛緩ができ、繰返し使用も可能である。ネット材を使用することで、作業者が前記積載物を透視できる。このようなパレット積載物荷崩れ防止具を、安価に製造できる。そして、ネット材が伸縮性を有し、同時に前記左右保持棒は可撓性を有するので、前記積載物が多様な形状の積載物を含むときでも、前記左右保持棒が撓むことにより前記積載物が均一に締付けられる。
【００１６】
上記第２の形態のパレット積載物荷崩れ防止具の特長に加え、第３の形態のパレット積載物荷崩れ防止具では、収納用ベルトを長方形ネット状シートの略中央に取着する。即ち、前記収納用ベルトを前記長方形ネット状シートの略中央に取着し、前記収納用ベルトの両面に収納用ファスナー面が形成されているので、前記長方形ネット状シートを短時間でコンパクトに収納できる。収納方法を詳述すると、以下のようになる。前記左右保持棒を重ねるように前記長方形ネット状シートを２つに折畳み、前記左右保持棒を中心にロール状に巻回して前記収納用ベルトで巻締め、前記収納用ファスナー面により固定する。このように、パレット積載物荷崩れ防止具を短時間内に一人作業で、コンパクトに収納することができる。そのため、本考案のパレット積載物荷崩れ防止具をトラック等に積載して、常時持ち運ぶことができる。
【考案を実施するための最良の形態】
【００１７】
以下に、本考案に係るレット積載物荷崩れ防止具の実施の形態を、添付する図１〜図７に基づいて詳細に説明する。
図１は本考案に係るパレット積載物荷崩れ防止具の実施形態を示す正面図である。図１に示すように、パレット積載物荷崩れ防止具２の本体である長方形ネット状シート４の長手方向の両端には、リング側保持棒６及びベルト側保持棒７が固定されている。リング側保持棒６及びベルト側保持棒７は、長方形ネット状シート４の端縁を折返して形成されたリング側筒状部１８及びベルト側筒状部１９に、それぞれ挿通固定されている。長方形ネット状シート４は、幅方向の両端縁も折返して縫着されているので、リング側保持棒６及びベルト側保持棒７の端部６ａ、６ｂ、７ａ及び７ｂは、長方形ネット状シート４から外部に出ることはない。長方形ネット状シート４の略中央には、収納用ベルト１２が収納用ベルト取着部１２ｃにより取着されている。図１では、収納用ベルト１２の取着状態が分るように収納用ベルト１２を広げ、収納用ベルト先端１２ｄを明示している。
【００１８】
リング金具８は、リング金具保持部８ａを介してリング側切欠部２０でリング側保持棒６に連結固定されている。ベルト状締付具１０は、ベルト側切欠部２１でベルト側保持棒７に連結固定されている。そのため、ベルト状締付具１０をリング金具８に挿通し、ベルト状締付具１０を引っ張り、締付用ファスナー面１０ａで固定するとき、締付力が直接リング側保持棒６及びベルト側保持棒７に伝わる。長方形ネット状シート４はネット材で伸縮性を有し、リング側保持棒６及びベルト側保持棒７は可撓性を有するので、多様な形状の積載物でもリング側保持棒６及びベルト側保持棒７が撓むことで、確実に短時間内に一人作業で係止固定することができる。リング側保持棒６及びベルト側保持棒７の材質には、金属、プラスチック等があるが、可撓性の観点からプラスチックが望ましい。長方形ネット状シート４の材質は、樹脂、繊維等のどれでも良い。また、複数の締付用ファスナー面１０ａで固定するとき、締付用ファスナー面１０ａ及びリング金具８が分散配置しているので、積載物の形状により締付用ファスナー面１０ａを各々独立した締付力で締付けることができる。なお、図１ではリング金具８及びベルト状締付具１０は各３個描かれているが、個数は各３個に限定されない。積載物を係止固定するときの効果及び作業性を考えると、リング金具８及びベルト状締付具１０は各２〜５個が望ましい。
【００１９】
ベルト状締付具１０には、締付用ファスナー面１０ａの間に締付用ファスナー空白部１０ｂが形成されている。ベルト状締付具１０を長くすることで、締付用ファスナー空白部１０ｂの長さを調整できる。そのため、ベルト状締付具１０をリング金具８に挿通して締付けて、締付用ファスナー面１０ａが対向しリング金具８に締付用ファスナー空白部１０ｂが接触するようにして、締付用ファスナー面１０ａが損傷を受けなくできる。ベルト状締付具１０の２箇所の締付用ファスナー面１０ａは、雌雄一体型のファスナー面でも良いし、それぞれ別種のファスナー面でも良い。
【００２０】
図２はベルト状締付具１０の締付状態を示す斜視図である。締付状態を、以下に詳述する。即ち、長方形ネット状シート４でパレットの積載物を巻回し、ベルト状締付具１０をリング金具８に挿通し、折返し、引っ張り、締付用ファスナー面１０ａで係止固定する。前述したように、リング側保持棒６及びベルト側保持棒７は、リング側筒状部１８及びベルト側筒状部１９にそれぞれ挿通固定されている。リング金具８は、リング金具保持部８ａを介してリング側切欠部２０でリング側保持棒６に連結固定されている。ベルト状締付具１０は、ベルト側切欠部２１でベルト側保持棒７に連結固定されている。そのため、締付力がリング金具８からリング側保持棒６に、ベルト状締付具１０からベルト側保持棒７に直接伝わる。リング側保持棒６及びベルト側保持棒７は、それぞれ複数個のリング金具と複数個のベルト状締付具が連結固定されている。長方形ネット状シート４はネット材で伸縮性を有し、リング側保持棒６及びベルト側保持棒７は可撓性を有する。そのため、前記積載物に異形の荷物が含まれていても、リング側保持棒６及びベルト側保持棒７が撓むことで、確実に短時間内に一人作業で係止固定することができる。そのうえ、パレット積載物荷崩れ防止具の面ファスナー使用により、容易に積載物の締付、弛緩ができ、繰返し使用も可能である。
【００２１】
図３は本考案のパレット積載物荷崩れ防止具２によるパレット１４上の中型荷物１６の包囲固定状態を示す斜視図である。パレット１４上の一定形状の中型荷物１６を、パレット積載物荷崩れ防止具２で巻回して固定する。長方形ネット状シート４はネット材で、作業者は積載物を透視できるので、巻回作業中は中型荷物１６の状態を確認でき、巻回作業後は中型荷物１６の外側に記載されている文字を確認できる。ベルト側保持棒７に連結固定されたベルト状締付具１０を、長方形ネット状シート４の１度の巻回で、リング側保持棒６に連結固定されたリング金具８に挿通して締付けて中型荷物１６を固定する。このとき、リング金具８を中型荷物１６の角部に来るようにして締付用ファスナー面１０ａで固定すると、中型荷物１６をしっかりと固定できる。図３に示すように、本考案のパレット積載物荷崩れ防止具２では長方形ネット状シート４で中型荷物１６のみを包囲し、パレット１４は包囲しない。このような長方形ネット状シート４の長手方向の長さは、流通量が多い１１００ｍｍ×１１００ｍｍ×１４４ｍｍのパレット用では、パレットの一辺の長さの４倍より短い３１００ｍｍ±３００ｍｍである。そのため、フォークリフトのフォークをフォーク用孔部１４ａに挿入するときに、長方形ネット状シート４が妨げにならない。このようにして、パレットの積載物の軽重に拘らず、積載物を本考案の荷崩れ防止具で巻回することにより、短時間内に一人作業で確実に荷崩れの防止ができる。
【００２２】
図４は本考案のパレット積載物荷崩れ防止具２によるパレット１４上の中型荷物１６と小型荷物２２の包囲固定状態を示す斜視図である。長方形ネット状シート４等の機能説明は、図３で上述したので再述しない。図３と異なり、中型荷物１６の上に小型荷物２２が積載されている。このとき、小型荷物２２の重心が長方形ネット状シート４から突出しなければ、小型荷物２２が中型荷物１６の上に置かれていても、パレット積載物荷崩れ防止具２で包囲して荷崩れを防止できる。
【００２３】
図５は本考案のパレット積載物荷崩れ防止具２によるパレット１４上の中型荷物１６と大型荷物２６の包囲固定状態を示す斜視図である。長方形ネット状シート４等の機能説明は、図３で上述したので再述しない。図３と異なり、中型荷物１６の上に大型荷物２６が積載され、更にその上に中型荷物１６が積載されている。長方形ネット状シート４は伸縮性を有し、リング側保持棒６及びベルト側保持棒７は可撓性を有する。そのため、長方形ネット状シート４の中間部が膨張し、リング側保持棒６及びベルト側保持棒７が撓んでいる。ベルト状締付具１０をリング金具８に挿通し、ベルト状締付具１０を折返して締付用ファスナー面１０ａで固定する。このとき、図５では黒で示す締付用ファスナー面１０ａの位置が、３本で異なる。このようにして、パレット積載物荷崩れ防止具２により、異形の荷物を含む積載物も容易に荷崩れを防止することができる。
【００２４】
図６は本考案のパレット積載物荷崩れ防止具２によるパレット１４上の積載物の別形態の包囲固定状態を示す斜視図である。図６のような長尺物の荷物２８の場合、図３〜図５のように積載物の周囲を包囲する係止固定法では、長尺物の荷物２８が転倒する虞がある。この場合は、図６に示すように長尺物の荷物２８を寝かすようにして長方形ネット状シート４で上下面を包囲して、ベルト状締付具１０をリング金具８に挿通して係止すれば、安定して固定できる。このとき、長尺物の荷物２８をフォーク用孔部１４ａと直交するように置くことは云うまでもない。
【００２５】
図７は本考案のパレット積載物荷崩れ防止具２を収納する工程を示す工程図である。（７Ａ）に示すように、リング金具８を上、ベルト状締付具１０を下になるようにしてリング側保持棒６及びベルト側保持棒７が重なるように、長方形ネット状シート４を２つに折り畳む。収納用ベルト１２は、収納用ベルト雄型面ファスナー１２ａが上面を向くように収納用ベルト先端１２ｄが広げられる。（７Ｂ）に示すように、リング側保持棒６及びベルト側保持棒７を中心に長方形ネット状シート４を巻回する。（７Ｃ）に示すように、長方形ネット状シート４を巻回して形成したシートロール３０を収納用ベルト１２で巻締め、収納用雄型ファスナー面１２ａと収納用雌型ファスナー面１２ｂで固定することにより、簡単にコンパクトにパレット積載物荷崩れ防止具２を収納できる。
【００２６】
本考案は、上記実施形態や変形例に限定されるものではなく、本考案の技術的思想を逸脱しない範囲における種々変形例、設計変更などをその技術的範囲内に包含するものであることは云うまでもない。
【産業上の利用可能性】
【００２７】
本考案に係るパレット積載物荷崩れ防止具は、パレット上の積載物を包囲することで、確実に荷崩れの防止ができる。更に、積載物の形状、段数、軽重に拘らず迅速に荷崩れの防止ができ、繰返し使用が可能で不使用時にも短時間に収納できるものである。
【図面の簡単な説明】
【００２８】
【図１】パレット積載物荷崩れ防止具の正面図である。
【図２】ベルト状締付具の締付状態を示す斜視図である。
【図３】本考案のパレット積載物荷崩れ防止具によるパレット上の中型荷物の包囲固定状態を示す斜視図である。
【図４】本考案のパレット積載物荷崩れ防止具によるパレット上の中型荷物と小型荷物の包囲固定状態を示す斜視図である。
【図５】本考案のパレット積載物荷崩れ防止具によるパレット上の中型荷物と大型荷物の包囲固定状態を示す斜視図である。
【図６】本考案のパレット積載物荷崩れ防止具によるパレット上の積載物の別形態の包囲固定状態を示す斜視図である。
【図７】本考案のパレット積載物荷崩れ防止具を収納する工程を示す工程図である。
【図８】従来のパレット積載物用カバーの斜視図である。
【図９】従来の荷崩れ防止用ベルトの斜視図である。
【符号の説明】
【００２９】
２          パレット積載物荷崩れ防止具
４          長方形ネット状シート
６          リング側保持棒
６ａ        リング側保持棒端部
６ｂ        リング側保持棒端部
７          ベルト側保持棒
７ａ        ベルト側保持棒端部
７ｂ        ベルト側保持棒端部
８          リング金具
８ａ        リング金具保持部
１０        ベルト状締付具
１０ａ      締付用ファスナー面
１０ｂ      締付用ファスナー空白面
１２        収納用ベルト
１２ａ      収納用ベルト雄型面ファスナー
１２ｂ      収納用ベルト雌型面ファスナー
１２ｃ      収納用ベルト取着部
１２ｄ      収納用ベルト先端
１４        ペレット
１４ａ      フォーク用孔部
１６        中型荷物
１８        リング側筒状部
１９        ベルト側筒状部
２０        リング側切欠部
２１        ベルト側切欠部
２２        小型荷物
２６        大型荷物
２８        長尺物の荷物
３０        シートロール
１０１      積載物用カバー
１０５      パレット
１１１      側面
１１２      側面
１１５      上面
１３１      スリット
１３２      面ファスナー
１３２ａ    面ファスナー
１３２ｂ    面ファスナー
１３３      面ファスナー
１３３ａ    面ファスナー
１３３ｂ    面ファスナー
１４１      フォーク貫通用開口部
１４２      フォーク貫通用開口部
２０１      荷崩れ防止用ベルト
２０４      ベルト部材
２０５      巻回棒
２０６      リング金具
２０７      芯棒
２０８      把手部
２１０      接触面
２１１      係止具
２１２      紐
２１３      係止棒
２１４      非接触面
２１６      第１の面ファスナー部
２１７      第２の面ファスナー部
【図１】
0003139119.tif 000003
【図２】
0003139119.tif 000004
【図３】
0003139119.tif 000005
【図４】
0003139119.tif 000006
【図５】
0003139119.tif 000007
【図６】
0003139119.tif 000008
【図７】
0003139119.tif 000009
【図８】
0003139119.tif 000010
【図９】
0003139119.tif 000011